(57)【要約】  【課題】  光源１つでも照明ムラがなく光利用効率の高い線状照明装置を提供する。  【解決手段】  光源１０と、光源１０から射出した光を第１端面２１から第２端面２２へと導光しながら正面側へ射出させることにより線状の光に変換する導光体２０と、第２端面２２を透過した光を第２端面２２側に反射させるリフレクタ３０とを備え、導光体２０の背面側表面に導光中の光を正面側へ射出させるための光路変換部Ｐが形成されており、光路変換部Ｐの最も第１端面２１側の端を入光端Ｐ１とし、最も第２端面２２側の端を反入光端Ｐ２とするとき、光路変換部Ｐの幅が入光端Ｐ１から反入光端Ｐ２にかけて変化し、条件式：0.1≦Ｍ／Ｌ≦0.45又は0.55≦Ｍ／Ｌ≦0.9を満足するように入光端Ｐ１と反入光端Ｐ２との間で光路変換部Ｐの幅が最大となる(Ｌ：光路変換部Ｐの入光端Ｐ１から反入光端Ｐ２までの距離、Ｍ：光路変換部Ｐの入光端Ｐ１から最大幅位置Ｐｔまでの距離)。【選択図】      図３
2005114894.tif 000002
【特許請求の範囲】
【請求項１】
光源と、その光源から射出した光を第１端面から第２端面へと導光しながら正面側へ射出させることにより線状の光に変換する導光体と、少なくとも前記第２端面を透過した光を第２端面側に反射させるリフレクタと、を備えた線状照明装置であって、前記導光体の背面側表面に導光中の光を正面側へ射出させるための光路変換部が形成されており、その光路変換部の最も第１端面側の端を入光端とし、最も第２端面側の端を反入光端とするとき、前記光路変換部の幅が入光端から反入光端にかけて変化し、かつ、以下の条件式(1)又は(2)を満足するように入光端と反入光端との間で前記光路変換部の幅が最大となることを特徴とする線状照明装置；
0.1≦Ｍ／Ｌ≦0.45  …(1)
0.55≦Ｍ／Ｌ≦0.9  …(2)
ただし、
Ｌ：光路変換部の入光端から反入光端までの距離、
Ｍ：光路変換部の入光端から最大幅位置までの距離、
である。
【請求項２】
光源と、その光源から射出した光を第１端面から第２端面へと導光しながら正面側へ射出させることにより線状の光に変換する導光体と、少なくとも前記第２端面を透過した光を第２端面側に反射させるリフレクタと、を備えた線状照明装置であって、前記導光体の背面側表面に導光中の光を正面側へ射出させるための光路変換部が形成されており、その光路変換部から背面側へ透過した光を前記リフレクタが光路変換部側に拡散反射させ、その拡散反射量が前記導光体による導光方向に沿って変化することを特徴とする線状照明装置。
【請求項３】
前記光路変換部が複数の微細なプリズムから成ることを特徴とする請求項１又は２記載の線状照明装置。
【請求項４】
前記光路変換部が前記導光体の一部に設けられた平面上に構成されることを特徴とする請求項１〜３のいずれか１項に記載の線状照明装置。
【請求項５】
請求項１〜４のいずれか１項に記載の線状照明装置を除電装置として有することを特徴とする電子写真装置。
【発明の詳細な説明】
【技術分野】
【０００１】
本発明は線状照明装置に関するものであり、例えば、複写機，プリンター，ファクシミリ等の電子写真装置において感光体を除電するための線状照明装置に関するものである。
【背景技術】
【０００２】
複写機等に採用されている電子写真技術の主流は乾式静電描画方式である。乾式静電描画方式では、例えば、感光体ドラムの表面をマイナスに帯電させ、そこにレーザー露光により潜像を形成し、その潜像にトナーを付着させ、得られたトナー像を用紙に転写・定着する、といった動作が行われる。トナー像転写後、感光体ドラム表面に残存しているトナーはブレード等でクリーニングされ、感光体ドラム表面に残存している静電気的な潜像は除電装置(イレーサ)で照明・露光されることにより電荷が消去される。
【０００３】
除電装置としては、ＬＥＤ(Light Emitting Diode)を基板上にアレイ状に並べたものが知られている。しかし、幅数百ｍｍという感光ドラム表面を除電するにはＬＥＤを多数並べる必要があり、これがコストアップの原因となっている。この問題を解決することを目的としたものが以下の特許文献１，２で提案されている。特許文献１で提案されている線状照明装置は、中央で最大幅を持つようにＶ型切削面が光拡散面として形成された円柱状導光体と、その両端に配置されたＬＥＤと、を備えている。特許文献２で提案されている電荷消去装置は、一端がミラーコートされた光伝達ファイバーと、その他端に配置されたランプと、を備えている。したがって、特許文献１記載のものでは２つの光源で線状照明を行うことができ、特許文献２記載のものでは１つの光源で線状照明を行うことができる。
【特許文献１】特許第２９００７９９号公報
【特許文献２】特公平６−２５８９７号公報
【発明の開示】
【発明が解決しようとする課題】
【０００４】
特許文献１記載の装置では、光拡散面の形状が光源配置に対応した左右対称なものとなっているため、射出光の光量分布を均一化する上では有効である。しかし、光源を２つ用いる必要があるため、その分のコストアップは避けられない。特許文献２記載の装置では、光源から離れるほど光伝達ファイバーの光放出部の幅が次第に増大する構成なっているため、光源からの距離の増大に伴う射出光量の低下を抑える上では有効である。しかし、ミラーコートされた端面からの反射光によって射出光の光量分布のバランスが崩れてしまい、それが照明ムラの原因となる。
【０００５】
本発明はこのような状況に鑑みてなされたものであって、その目的は、光源１つでも照明ムラがなく光利用効率の高い線状照明装置を提供することにある。
【課題を解決するための手段】
【０００６】
上記目的を達成するために、第１の発明の線状照明装置は、光源と、その光源から射出した光を第１端面から第２端面へと導光しながら正面側へ射出させることにより線状の光に変換する導光体と、少なくとも前記第２端面を透過した光を第２端面側に反射させるリフレクタと、を備えた線状照明装置であって、前記導光体の背面側表面に導光中の光を正面側へ射出させるための光路変換部が形成されており、その光路変換部の最も第１端面側の端を入光端とし、最も第２端面側の端を反入光端とするとき、前記光路変換部の幅が入光端から反入光端にかけて変化し、かつ、以下の条件式(1)又は(2)を満足するように入光端と反入光端との間で前記光路変換部の幅が最大となることを特徴とする。
【０００７】
0.1≦Ｍ／Ｌ≦0.45  …(1)
0.55≦Ｍ／Ｌ≦0.9  …(2)
ただし、
Ｌ：光路変換部の入光端から反入光端までの距離、
Ｍ：光路変換部の入光端から最大幅位置までの距離、
である。
【０００８】
第２の発明の線状照明装置は、光源と、その光源から射出した光を第１端面から第２端面へと導光しながら正面側へ射出させることにより線状の光に変換する導光体と、少なくとも前記第２端面を透過した光を第２端面側に反射させるリフレクタと、を備えた線状照明装置であって、前記導光体の背面側表面に導光中の光を正面側へ射出させるための光路変換部が形成されており、その光路変換部から背面側へ透過した光を前記リフレクタが光路変換部側に拡散反射させ、その拡散反射量が前記導光体による導光方向に沿って変化することを特徴とする。
【０００９】
第３の発明の線状照明装置は、上記第１又は第２の発明において、前記光路変換部が複数の微細なプリズムから成ることを特徴とする。
【００１０】
第４の発明の線状照明装置は、上記第１〜第３のいずれか１つの発明において、前記光路変換部が前記導光体の一部に設けられた平面上に構成されることを特徴とする。
【００１１】
第５の発明の電子写真装置は、上記第１〜第４のいずれか１つの発明に係る線状照明装置を除電装置として有することを特徴とする。
【発明の効果】
【００１２】
第１の発明によれば、光路変換部の幅が入光端から反入光端にかけて変化し、その最大幅位置が最適化された構成になっているため、光源１つでも光量分布の均一な照明光が得られる。したがって、高い光利用効率でムラのない照明を行うことができる。また、第２の発明によれば、リフレクタによる拡散反射量が入光端から反入光端にかけて変化する構成になっているため、光源１つでも光量分布の均一な照明光を得ることが可能になる。したがって、高い光利用効率でムラのない照明を行うことができる。
【００１３】
第３の発明によれば、光路変換部が複数の微細なプリズムから成っているため、微小な凹凸から成る拡散パターン等に比べて作製の容易な金型を用いた製造が可能である。したがって、光路変換部を再現性良く容易に形成することの可能な線状照明装置を、低コストで実現することができる。第４の発明によれば、光路変換部が導光体の一部に設けられた平面上に構成されるため、導光体の背面側表面が曲面であっても作製の容易な金型を用いることができる。それによって光路変換部の形成が容易になるため、線状照明装置を低コストで実現することができる。第５の発明によれば、第１〜第４のいずれか１つの発明に係る線状照明装置を除電装置として有するため、安価で確実な除電が可能な電子写真装置(複写機，プリンター，ファクシミリ等)を実現することができる。
【発明を実施するための最良の形態】
【００１４】
以下、本発明を実施した線状照明装置を、図面を参照しつつ説明する。なお、各実施の形態等の相互で同一の部分や相当する部分には同一の符号を付して重複説明を適宜省略する。
【００１５】
図２に、線状照明装置が除電装置として搭載された電子写真装置の印刷機構を模式的に示す。感光体ドラム１は、セレン等の感光帯電材(すなわち光導電材)から成る塗膜を表面に有している。感光体ドラム１の回転とともに、帯電装置２が感光体ドラム１の表面を均一に帯電させ、露光装置３が印刷しない部分に対して露光を行うことにより電荷を除去する。電荷が除去されることにより形成された潜像に対し、現像装置４がトナー４ａを電気的に付着させる。感光体ドラム１上の潜像に付着しているトナー４ａは、熱と圧力で用紙７に転写される。転写後の感光体ドラム１に残存しているトナー４ａはブレード５で清掃され、残存電荷は除電装置(すなわちイレーサ)６による光の照射により除電される。この除電のための照明を光源１つでムラ無く行うことを可能にしたのが、以下に説明する線状照明装置である。
【００１６】
図１に、線状照明装置の一実施の形態を示す。図１に示す線状照明装置は、光源１０，円柱状の透明な導光体２０，反射特性を有するリフレクタ３０等を備えている。光源１０から射出した光Ｌ０は、導光体１０に入射し、その内部で第１端面２１から第２端面２２へと導光されながら、正面側(つまり被照明物側)へ射出することにより線状の光Ｌ１に変換される。その線状の射出光Ｌ１が、前記除電のための線状照明に用いられる。
【００１７】
光源１０としては、例えばＬＥＤが挙げられる。そして感光体の除電を用途として考慮すれば、波長＝６３０〜６５０ｎｍ付近の赤色光を放射するＬＥＤが好ましい。また、先端部がレンズ形状の砲弾型ＬＥＤを用いることが好ましい。その強い指向性によって射出光Ｌ０を無駄なく導光体２０に入射させることができるからである。量産性(例えば射出成形で製造できるといった製法上のメリット等)，光学的特性(透明性，屈折率等)，コスト等を考慮すれば、導光体２０としてアクリル系のプラスチック材料から成る成型品を用いることが好ましく、リフレクタ３０としてポリカーボネート系のプラスチック材料から成る成型品を用いることが好ましい。ただし、材質はこれらに限らず、他のプラスチック材料，ガラス材料等を用いてもよい。
【００１８】
図３に、導光体２０の概略構成を模式的に示す。図３(Ａ)は導光体２０の正面図であり、図３(Ｂ)は図３(Ａ)のＵ−Ｕ’線断面の端面図である。図３に示すように、導光体２０の背面側表面には導光中の光を正面側へ射出させるための光路変換部Ｐが形成されている。その光路変換部Ｐを拡大して図４に示す。光路変換部Ｐは、複数の微細なプリズムから成っている。つまり、プリズム反射面Ｐａとプリズム導光面Ｐｂとから成る同一形状のプリズムが導光軸ＡＸに沿って複数配列され、プリズム反射面Ｐａとプリズム導光面Ｐｂとが交互に繰り返し配置された構造をとっている。なお、光路変換部Ｐは導光体２０の曲面形状の表面に隣接するように構成されているが、後述する他の実施の形態のように(図１１，図１２)、導光体２０の一部に設けられた平面上に形成することが製造上好ましい。
【００１９】
導光体２０には、光源１０から射出した光Ｌ０(図１)が所定の広がりをもって入射するが、その入射光を射出光Ｌ１として正面側へ反射させるのがプリズム反射面Ｐａである。入射光Ｌ０を第１端面２１から第２端面２２へと導光しながらプリズム反射面Ｐａでの反射により正面側へ射出させていくと、プリズム反射面Ｐａで正面側へ反射する入射角度の光の割合が第２端面２２側へ近づくほど少なくなってしまう。この問題を解消するのがプリズム導光面Ｐｂである。プリズム導光面Ｐｂに入射した光は、その反射によって導光軸ＡＸに対する傾きを変化させる。つまり、導光軸ＡＸに対する角度θで入射してきた光線は、プリズム導光面Ｐｂの導光軸ＡＸに対する角度をαとすると、プリズム導光面Ｐｂでの反射により、導光軸ＡＸに対する角度２αだけ導光軸ＡＸ側に寄ることになる。その結果、プリズム反射面Ｐａで正面側へ反射する入射角度の光の割合が増大する。
【００２０】
光路変換部Ｐを構成している各プリズムの稜線は、導光軸ＡＸに対して傾斜している。このため、各プリズムの凹凸に対応した斜めの明暗が照明光に生じたとしても、回転する感光体ドラム１の表面上ではキャンセルされて均一な露光状態が得られる。なお、光路変換部Ｐを構成している各プリズムの断面形状は、不等辺三角形に限らず、二等辺三角形等でもよく、平坦部にＶ字型の溝を形成したものでもよい。また、プリズムに限らず、微細な凹凸から成る拡散パターン等でもよい。導光体２０の断面形状に関しても、円形に限らず、多角形，楕円形，それらの組み合わせ等でもよい。
【００２１】
リフレクタ３０は導光体２０を取り囲むようにほぼ密着状態で設置されているが、その間にはわずかな空気間隔(図６〜図９中の２５)が確保されている。このため、第１端面２１から導光体１０に入射した光は、導光体１０の内部を全反射によって第２端面２２側へ進むことができる。導光体２０から正面側以外の方向(つまり、第２端面２２側，上面側，下面側，背面側への各方向)へ射出した光は、リフレクタ３０で反射されて再び導光体２０内へ導かれる。したがって照明用の射出光Ｌ１以外の漏洩光は、リフレクタ３０での反射により再利用されるため光利用効率が向上することになる。なお、リフレクタ３０を、第２端面２２側に反射面を有する部材と、導光体２０の上面側，下面側及び背面側に反射面を有する部材と、の２つの部材で構成してもよく、また、リフレクタ３０を用いる代わりに導光体２０の表面にミラーコートを施してもよい。
【００２２】
リフレクタ３０による反射は正反射，拡散反射のいずれでもよいが、リフレクタ３０の反射特性は光利用効率だけでなく射出光Ｌ１の光量分布にも影響を及ぼす。例えば、導光体２０の第２端面２２はリフレクタ３０で覆われているため、第２端面２２を透過した光はリフレクタ３０で第２端面２２側に反射されて、第２端面２２側での射出光Ｌ１の光量を増大させる。リフレクタ３０による第２端面２２側での反射の影響を明らかにするため、仮にリフレクタ３０が第２端面２２側での反射のみを行うものとし、図５(Ｂ)に示すように領域形状の幅が一定の光路変換部Ｑを導光体２０に形成した場合を想定する。すると、図５(Ａ)に示すような谷型の射出光量分布Ｃ０が得られる(Ｘ：導光距離，Ｉ：射出光強度)。
【００２３】
図５(Ａ)に示すグラフＣ０から分かるように、射出光Ｌ１の光量は第１端面２１側から徐々に減少し、中央位置ｘ１からｄｘだけシフトした谷位置ｘ２で最も低くなり、第２端面２２側に向けて再び増加する。このように、第２端面２２側からの反射寄与分により第２端面２２側での射出光量が増加し、全体でみると射出光量分布は谷型になる。射出光Ｌ１が谷型の光量分布になっていると、照明ムラが生じることになる。この実施の形態では、射出光Ｌ１の光量分布が均一になるように、光路変換部Ｐの形成領域形状が最適化されている。つまり、図３(Ａ)，図５(Ｄ)に示すように、光路変換部Ｐの最も第１端面２１側の端を入光端Ｐ１とし、最も第２端面側２２の端を反入光端Ｐ２とするとき、光路変換部Ｐの幅が入光端Ｐ１から反入光端Ｐ２にかけて変化し、かつ、以下の条件式(1)又は(2)を満足するように入光端Ｐ１と反入光端Ｐ２との間で光路変換部Ｐの幅が最大となる構成になっている。
【００２４】
0.1≦Ｍ／Ｌ≦0.45  …(1)
0.55≦Ｍ／Ｌ≦0.9  …(2)
ただし、
Ｌ：光路変換部Ｐの入光端Ｐ１から反入光端Ｐ２までの距離(つまり光路変換部Ｐの全長)、
Ｍ：光路変換部Ｐの入光端Ｐ１から最大幅位置Ｐｔまでの距離、
である。
【００２５】
光路変換部Ｐの光路変換作用は前記プリズム形状(図４)等により変化するが、射出光強度Ｉは光路変換部Ｐの幅が広いほどその対応位置で増大する。しかし、光路変換部Ｐの幅を入光端Ｐ１から反入光端Ｐ２にかけて変化させ、かつ、入光端Ｐ１と反入光端Ｐ２との間に光路変換部Ｐの最大幅位置を設定すると、入光端Ｐ１側で幅が狭くなった光路変換部Ｐにより正面側への光の出射が抑えられるため、図５(Ａ)に示す谷位置ｘ２は反入光端Ｐ２側へシフトすることになる。そのときの第２の谷位置に光路変換部Ｐの最大幅位置Ｐｔを設定するのが好ましく、それを規定しているのが条件式(1)及び(2)である。条件式(1)又は(2)を満足するように光路変換部Ｐの最大幅位置Ｐｔを設定すれば、図５(Ｃ)に示すように谷位置ｘ２での光量が増大するため、射出光Ｌ１の光量分布がＣ０からＣ１へと均一化されて、照明ムラの発生が抑えられる。また、光路変換部Ｐの最大幅位置Ｐｔを、谷位置ｘ２から反入光端Ｐ２側へ０．１Ｌ〜０．２Ｌだけシフトした位置に設定してもよく、その場合でも条件式(1)又は(2)を満たした場合と同様の効果を得ることが可能である。
【００２６】
上記のように光量分布が均一になるように最大幅位置Ｐｔを調整・最適化したときの数値例を以下に挙げる。以下の数値例では、Ｍ／Ｌ＝０．６であり、条件式(2)を満たしている。なお、入光端Ｐ１から最大幅位置Ｐｔまでの幅の変化、最大幅位置Ｐｔから反入光端Ｐ２までの幅の変化は、いずれも直線的になっているが、必要とされる射出光量分布の均一化に応じて、これらの幅の変化を曲線的に構成してもよい。
【００２７】
［数値例］
光路変換部Ｐの全長Ｌ＝２５０ｍｍ，
最大幅位置Ｐｔまでの距離Ｍ＝１５０ｍｍ，
導光体２０の直径＝４．０ｍｍ，
入光端Ｐ１での光路変換部Ｐの幅＝０．８ｍｍ，
最大幅位置Ｐｔでの光路変換部Ｐの幅＝２．０ｍｍ，
反入光端Ｐ２での光路変換部Ｐの幅＝１．２ｍｍ
【００２８】
従来の考え方では、導光体に光路変換部を設ける場合、光源から遠いほど光路変換作用が大きくなるように設定される。例えば、図１０(Ａ)に示すように導光体２０の片側から光を入射させる場合には、光路変換部Ｒの幅が入光端Ｒ１から反入光端Ｒ２にかけて次第に増加する形状に設定され、図１０(Ｂ)に示すように導光体２０の両側から光を入射させる場合には、光路変換部Ｓの幅が両端Ｓ１，Ｓ２から中央にかけて次第に増加するように設定される。図１０(Ａ)の場合、第２端面２２から射出する光を反射させて光利用効率を良くしようとすると、第２端面２２側からの反射光によって正面側への射出光量分布のバランスが崩れてしまい、それが照明ムラの原因になってしまう。図１０(Ｂ)の場合、２つの光源１０ａ，１０ｂが必要であるため、その分のコストアップは避けられない。本実施の形態によれば、これらの問題はすべて解消される。つまり、用いる光源１０が１つであるため大幅なコストダウンが可能であり、光源１０が１つであるにもかかわらず照明ムラの低減と高い光利用効率を共に達成することが可能である。
【００２９】
図５(Ｃ)の光量分布Ｃ１は、リフレクタ３０が第２端面２２側での反射のみを行うことを想定しているが、前述したようにリフレクタ３０は、導光体２０から上面側，下面側，背面側の各方向へ射出した光も反射させて、再び導光体２０内へ導く。したがって、導光体２０の上面側，下面側，背面側でのリフレクタ３０の反射特性も、射出光Ｌ１の光量分布に影響を及ぼすことになる。特に、導光体２０の背面側表面には導光中の光を正面側へ射出させるための光路変換部Ｐが形成されているので、その光路変換部Ｐから背面側へ透過した光を光路変換部Ｐ側に反射させるリフレクタ３０の反射特性は、射出光Ｌ１の光量分布に大きな影響を与えることになる。
【００３０】
導光体２０から正面側以外の方向(つまり、第２端面２２側，上面側，下面側，背面側への各方向)へ射出した光を反射させるリフレクタ３０の反射が、正反射である場合の射出光Ｌ１の光量分布Ｃ２を図６(Ａ)に示し、均一な拡散反射である場合の射出光Ｌ１の光量分布Ｃ３を図７(Ａ)に示し、位置によって拡散度合いの異なる拡散反射である場合の射出光Ｌ１の光量分布Ｃ４を図８(Ａ)に示す。ただし、図６〜図８の各(Ａ)に示す射出光量分布Ｃ２〜Ｃ４は、図６〜図８の各(Ｂ)に示す導光体２０，リフレクタ３０等と対応する導光距離Ｘの射出光強度Ｉで表現してある。
【００３１】
図６〜図８のいずれの場合でも光利用効率は向上するが、均一な拡散反射を行うリフレクタ３０を用いた場合(図７)、得られる光量分布Ｃ３は均一化の不十分なものとなる。しかし、拡散反射は射出光量分布の均一化に有効であり、それを利用すれば、図８(Ａ)に示すように射出光量分布を改善することができる。したがって、光路変換部Ｐから背面側へ透過した光をリフレクタ３０が光路変換部Ｐ側に拡散反射させ、その拡散反射量が導光体２０による導光方向(つまり導光軸ＡＸ方向)に沿って変化する構成とすることが好ましい。
【００３２】
反射による拡散度合いを位置によって変化させる方法としては、例えば、リフレクタ３０の反射面の成形形状を位置によって変化させる方法、リフレクタ３０の反射面に位置によって反射特性の異なった印刷を施す方法等が挙げられる。リフレクタ３０の反射面の成形形状を位置によって変化させる方法としては、同一の散乱特性を有する散乱体(シボ等)の数(つまり散乱体の密度)を位置によって変化させる方法、位置によって異なる散乱角特性を有する散乱体を形成する(つまり散乱体の形状や大きさを場所によって変化させる)方法、位置によって異なった表面加工を施す方法(例えばサンドブラストの当て方を変える方法)等が挙げられる。リフレクタ３０の製造を考慮すると、同一の散乱特性を有する散乱体の数を位置によって変化させる方法が好ましく、その方法を採用した一例を図８(Ｃ)のグラフに示す(Ｘ：導光距離，Ｊ：散乱体密度)。
【００３３】
散乱体の密度Ｊが高いほど反射による拡散度合いが大きくなり、結果として、その位置での射出光強度Ｉは増大する。これを図９に基づいて説明する。図９(Ａ)はリフレクタ３０の反射面での拡散度合いが小さい場合の光路を示しており、図９(Ｂ)はリフレクタ３０の反射面での拡散度合いが大きい場合の光路を示している。光路変換部Ｐから背面側へ透過する光線のほとんどは、リフレクタ３０の反射面に対して浅い角度で入射するため、図９(Ａ)に示すように反射による拡散度合いが小さい場合(極端な例としてはミラー面の場合)には、導光軸ＡＸに対してなす角が小さいまま再び導光体２０内に戻ってくることになる。そのような光で正面側(大きい矢印)に進むものは少なく、全反射によりさらに導光されることになる。一方、図９(Ｂ)に示すように反射による拡散度合いが大きい場合には、拡散角度が拡大した分、個々の光線の光量は小さくなるものの、照明方向に向かう光線が多くなるため射出光強度Ｉは増大することになる。したがって、前述した光路変換部Ｐの形成領域形状を最適化する場合と同様の理由で、{図８の(Ｂ)と(Ｃ)との位置の対応関係から分かるように}光路変換部Ｐの形状と対応するように、リフレクタ３０による拡散反射量が最大となる位置を最適化することが好ましい。
【００３４】
図１１に他の実施の形態の背面側外観構成を示し、図１２にそのＶ−Ｖ’線断面構造を示す。基本的な構成は前述の実施の形態(図１等)と同じであるが、設置スペースの制約等に対応できるように、一部が屈曲した導光体２０Ａと、それを覆うように配置されたリフレクタ３０Ａと、を備えている。導光体２０Ａの屈曲部２３では、導光軸ＡＸを略９０°(つまり９０°又は実質的に９０°)折り曲げるようにして光束が反射するように、反射部分が４５度にカットしてある。これにより、光源１０を射出した光Ｌ０は一旦曲げられた後、入光端Ｐ１から光路変換部Ｐへ入射することになるので、その効率の良い光路の折り曲げにより線状照明装置の小型化が可能となる。
【００３５】
光路変換部Ｐは、円筒形状の導光体２０Ａの一部に設けられた平面部Ｆ上に形成されている。光路変換部Ｐが平面部Ｆ上に形成された導光体２０Ａには、その製造が容易になるというメリットがある。光路変換部Ｐが導光体２０Ａの曲面形状の表面に隣接するような構成になっている場合には、それを成形するための金型のコア形状を光路変換部Ｐと同じ略菱形の形状にしなければならなくなる。そのため、光路変換部Ｐの形成領域形状を変更するための追加工を施そうとすると、すべての金型の修正が必要になる。それに対し、光路変換部Ｐが平面部Ｆ上に形成された構成になっていれば、金型のコア形状を長方形にすることができる。その場合、光路変換部Ｐの形成領域形状を変更する必要があれば、光路変換部Ｐを成形するための金型の形成領域形状のみを修正すれば済む。したがって、金型の追加工を容易に行うことができる。
【００３６】
以上説明した線状照明装置を除電装置６(図２)として有することにより、安価で確実な除電が可能な電子写真装置(複写機，プリンター，ファクシミリ等)を実現することができる。また上記線状照明装置は、電子写真装置以外の機器においても照明装置又はその一部としての使用が可能である。例えば長尺蛍光管や長尺ハロゲンランプを光源とする線状照明装置の代わりに用いれば、ムラが無く光利用効率の高い照明を低コストかつコンパクトに行うことができる。そのような線状照明装置としては、例えばＬＣＤ(Liquid Crystal Display)等の非発光型表示素子に用いるバックライトやフロントライトが挙げられる。
【００３７】
なお、上述した各実施の形態には以下の構成を有する発明(i),(ii),…が含まれており、その構成によると、光源１つでも照明ムラがなく光利用効率の高い線状照明装置を提供することができる。
【００３８】
(i)  光源と、その光源から射出した光を第１端面から第２端面へと導光しながら正面側へ射出させることにより線状の光に変換する導光体と、少なくとも前記第２端面を透過した光を第２端面側に反射させるリフレクタと、を備えた線状照明装置であって、前記導光体の背面側表面に導光中の光を正面側へ射出させるための光路変換部が形成されており、その光路変換部の最も第１端面側の端を入光端とし、最も第２端面側の端を反入光端とするとき、前記光路変換部の幅が入光端から反入光端にかけて変化し、入光端と反入光端との間で前記光路変換部の幅が最大となることを特徴とする線状照明装置。
【００３９】
(ii)  前記条件式(1)又は(2)を満足することを特徴とする上記(i)記載の線状照明装置。
【００４０】
(iii)  前記光路変換部の形成領域形状の幅を一定としたときに得られる射出光量分布の谷位置から、反入光端側へ０．１Ｌ〜０．２Ｌだけシフトした位置に、前記光路変換部の最大幅位置が設定されていることを特徴とする上記(i)又は(ii)記載の線状照明装置。
【００４１】
(iv)  光源と、その光源から射出した光を第１端面から第２端面へと導光しながら正面側へ射出させることにより線状の光に変換する導光体と、少なくとも前記第２端面を透過した光を第２端面側に反射させるリフレクタと、を備えた線状照明装置であって、前記導光体の背面側表面に導光中の光を正面側へ射出させるための光路変換部が形成されており、その光路変換部から背面側へ透過した光を前記リフレクタが光路変換部側に拡散反射させ、その拡散反射量が前記導光体による導光方向に沿って変化し、導光途中で拡散反射量が最大となることを特徴とする線状照明装置。
【００４２】
(v)  前記光路変換部の形成領域形状の幅を一定としたときに得られる射出光量分布の谷位置から、第２端面側へ０．１Ｌ〜０．２Ｌだけシフトした位置に、前記拡散反射量の最大位置が設定されていることを特徴とする上記(iv)記載の線状照明装置。
【００４３】
(vi)  前記導光体が、光路を折り曲げる屈曲部を前記第１端面と前記光路変換部との間に有することを特徴とする上記(i)〜(v)のいずれか１項に記載の線状照明装置。
【図面の簡単な説明】
【００４４】
【図１】線状照明装置の一実施の形態を示す斜視図。
【図２】電子写真装置の印刷機構を模式的に示すシステム構成図。
【図３】導光体の概略構成を示す模式図。
【図４】導光体の光路変換部を拡大して示す斜視図。
【図５】光路変換部の形成領域形状と射出光量分布との関係を説明するための図。
【図６】リフレクタでの反射が正反射である場合の射出光強度の変化を説明するための図。
【図７】リフレクタでの反射が均一な拡散反射である場合の射出光強度の変化を説明するための図。
【図８】リフレクタでの反射が位置によって拡散度合いの異なる拡散反射である場合の射出光強度の変化を説明するための図。
【図９】リフレクタの拡散度合いと射出光量との関係を説明するための図。
【図１０】導光体の参考例を示す模式図。
【図１１】線状照明装置の他の実施の形態を示す背面図。
【図１２】図１１のＶ−Ｖ’線断面図。
【符号の説明】
【００４５】
６    除電装置(線状照明装置)
１０    光源
２０    導光体
３０    リフレクタ
２１    第１端面
２２    第２端面
Ｐ    光路変換部
Ｐａ    プリズム反射面
Ｐｂ    プリズム導光面
Ｐ１    入光端
Ｐ２    反入光端
ＡＸ    導光軸
２０Ａ    導光体
３０Ａ    リフレクタ
２３    屈曲部
Ｆ    平面部
【図１】
2005114894.tif 000003
【図２】
2005114894.tif 000004
【図３】
2005114894.tif 000005
【図４】
2005114894.tif 000006
【図５】
2005114894.tif 000007
【図６】
2005114894.tif 000008
【図７】
2005114894.tif 000009
【図８】
2005114894.tif 000010
【図９】
2005114894.tif 000011
【図１０】
2005114894.tif 000012
【図１１】
2005114894.tif 000013
【図１２】
2005114894.tif 000014